(57)【要約】 【課題】      より簡単な構造で、しかも設置方向を考慮することなく、日除けと、放熱のための通気性を確保し得る日除け装置を提供する。【解決手段】  第２方形状平面部材１４−１〜１４−４の幅Ｗｂ１を第１方形状平面部材１２−１〜１２−４により形成される凹部の幅Ｄａ１より長くして、互いに隣接する２つの構造部材（１１）間で、一方の構造部材において第１方形状平面部材１２−１〜１２−４により形成される凹部と、他方の構造部材が持つ第２方形状平面部材１４−１〜１４−４の面とが重なり合う構造とする。【選択図】  図１
2012156387.tif 000002
【特許請求の範囲】
【請求項１】
装置の外面に対向して設置され、該装置への日射光を遮る日除け用板状部材を備えた日除け装置であって、
前記日除け用板状部材は、複数の構造部材を長辺方向に並行配置して形成され、
前記構造部材は、
平面部材と、
前記平面部材の一面の短辺方向の任意の高さに、該平面部材と当該第１方形状平面部材の面が一定角度を持つよう接合され、該平面部材の長辺方向に等間隔に配置された複数の第１方形状平面部材と、
前記平面部材の他面の短辺方向の前記第１方形状平面部材の接合高さとは異なる高さで、且つ前記複数の第１方形状平面部材により形成される凹部底辺に対向する位置に、当該第２方形状平面部材の面が前記第１方形状平面部材の面と略並行となるよう該平面部材と接合され、該平面部材の長辺方向に等間隔に配置された複数の第２方形状平面部材と、
を備えたことを特徴とする日除け装置。
【請求項２】
前記構造部材は、当該構造部材のより低い接合高さの方形状平面部材の接合辺幅が、より高い接合高さの方形状平面部材により形成される凹部底辺の幅よりも長いことを特徴とする請求項１に記載の日除け装置。
【請求項３】
前記複数の第１方形状平面部材は、前記平面部材の短辺方向の上端に接合され、前記複数の第２方形状平面部材は、前記平面部材の短辺方向の下端に接合されることを特徴とする請求項１または請求項２の何れか１項に記載の日除け装置。
【請求項４】
前記構造部材における平面部材と前記第１方形状部材の面がなす角度は、９０度以上であることを特徴とする請求項１〜請求項３の何れか１項に記載の日除け装置。
【請求項５】
装置の外面に対向して設置され、該装置への日射光を遮る日除け用板状部材を備えた日除け装置であって、
前記日除け用板状部材は、複数の構造部材を長辺方向に並行配置して形成され、
前記構造部材は、平面部材の一方の長辺側に、幅Ｄａ×深さＡａの第１切欠部を等間隔に複数持ち、該平面部材の他方の長辺側で、前記一方の長辺側の複数の切欠部により形成される凸部に対向する位置に、幅Ｄｂ×深さＢｂの第２切欠部を等間隔に複数持ち、当該平面部材が、該平面部材の一方の長辺から距離Ａ１（Ａ１≧Ａａ）の位置を軸に任意の回転方向に所定角度折り曲げられ、該平面部材の他方の長辺から距離Ｂ１（Ｂ１≧Ｂｂ）の位置を軸に同一回転方向に同一角度折り曲げられて形成されたことを特徴とする日除け装置。
【請求項６】
前記構造部材は、前記平面部材の一方の長辺側の複数の第１切欠部または複数の第２切欠部により形成される凸部の幅が、それぞれ他方の長辺側の複数の第２切欠部または複数の第１切欠部の幅（ＤｂまたはＤａ）よりも長いことを特徴とする請求項５に記載の日除け装置。
【請求項７】
前記平面部材が折り曲げられる角度は、９０度以下であることを特徴とする請求項５または請求項６の何れか１項に記載の日除け装置。
【請求項８】
前記構造部材は、長辺方向の両端に取付部材を備えたことを特徴とする請求項１〜請求項７の何れか１項に記載の日除け装置。
【発明の詳細な説明】
【技術分野】
【０００１】
本発明は、より簡単な構造で、しかも設置方向を考慮することなく、日除けと、放熱のための通気性とを確保し得る日除け装置に関する。
【背景技術】
【０００２】
屋外に設置される無線基地局等の電子機器においては、性能劣化の要因として、筐体内の温度上昇がある。すなわち、電子機器の筐体が日射に晒されることによる温度上昇と、該電子機器内部に持つパワーアンプ等の発熱源となる電子部品からの放熱による温度上昇である。このような温度上昇による性能劣化は、稼働寿命の短縮や故障等にも繋がることから、屋外に設置される電子機器には、日除け対策と共に、放熱のための通気性を考慮した外部構造を備えることが望まれている。
【０００３】
このような背景から、特開２００６−２５７８０７号公報に開示の「屋外装置用日除け装置」では、屋外装置の外面に対向して設置され、該屋外装置への日射光を遮る日除け板を備えた屋外装置用日除け装置であって、該日除け板には通風用のスリット孔が設けられ、また、該スリット孔の上端側から屋外装置側の下方に向かって突設される内側突設部材を持つ遮光部材を備えた構造が提案されている。このような構造によって、風の流れる方向によって屋外装置の放熱効果が大きく低下することによりその温度が上昇して屋外装置の機能が損なわれることを防止することが可能な屋外装置用日除け装置を実現することができる。
【先行技術文献】
【特許文献】
【０００４】
【特許文献１】特開２００６−２５７８０７号公報
【発明の概要】
【発明が解決しようとする課題】
【０００５】
しかしながら、上述した従来技術においては、風の流れる方向に応じて通気性を確保するために、遮光部材が回転機構を備えると共に位置決めのための付勢手段が必要であり、より簡単な構造で日除けと、放熱のための通気性を実現可能な日除け装置が望まれていた。
【０００６】
また、従来技術においては、日除けと、放熱のための通気性を確保するに当たり、一定のそれら効果を得るためには、その構造を考慮して屋外装置を設置しなければならず、屋外装置の設置方向が（上下方向または縦横方向に）限定されるという事情もあった。
【０００７】
本発明は、上記従来の事情に鑑みてなされたものであって、より簡単な構造で、しかも設置方向を考慮することなく、日除けと、放熱のための通気性とを確保し得る日除け装置を提供することを目的としている。
【課題を解決するための手段】
【０００８】
上記課題を解決するために、本発明に係る第１の特徴の日除け装置は、装置の外面に対向して設置され、該装置への日射光を遮る日除け用板状部材を備えた日除け装置であって、前記日除け用板状部材は、複数の構造部材を長辺方向に並行配置して形成され、前記構造部材は、平面部材と、前記平面部材の一面の短辺方向の任意の高さに、該平面部材と当該第１方形状平面部材の面が一定角度を持つよう接合され、該平面部材の長辺方向に等間隔に配置された複数の第１方形状平面部材と、前記平面部材の他面の短辺方向の前記第１方形状平面部材の接合高さとは異なる高さで、且つ前記複数の第１方形状平面部材により形成される凹部底辺に対向する位置に、当該第２方形状平面部材の面が前記第１方形状平面部材の面と略並行となるよう該平面部材と接合され、該平面部材の長辺方向に等間隔に配置された複数の第２方形状平面部材と、を備えたことを特徴とする。
【０００９】
また、本発明に係る第１の特徴の日除け装置において、前記構造部材は、当該構造部材のより低い接合高さの方形状平面部材の接合辺幅が、より高い接合高さの方形状平面部材により形成される凹部底辺の幅よりも長いことを特徴とする。
【００１０】
また、本発明に係る第１の特徴の日除け装置において、前記複数の第１方形状平面部材は、前記平面部材の短辺方向の上端に接合され、前記複数の第２方形状平面部材は、前記平面部材の短辺方向の下端に接合されることを特徴とする。
【００１１】
また、本発明に係る日除け装置において、前記構造部材における平面部材と前記第１方形状部材の面がなす角度は、９０度以上であることを特徴とする。
【００１２】
また、本発明に係る第２の特徴の日除け装置は、装置の外面に対向して設置され、該装置への日射光を遮る日除け用板状部材を備えた日除け装置であって、前記日除け用板状部材は、複数の構造部材を長辺方向に並行配置して形成され、前記構造部材は、平面部材の一方の長辺側に、幅Ｄａ×深さＡａの第１切欠部を等間隔に複数持ち、該平面部材の他方の長辺側で、前記一方の長辺側の複数の切欠部により形成される凸部に対向する位置に、幅Ｄｂ×深さＢｂの第２切欠部を等間隔に複数持ち、当該平面部材が、該平面部材の一方の長辺から距離Ａ１（Ａ１≧Ａａ）の位置を軸に任意の回転方向に所定角度折り曲げられ、該平面部材の他方の長辺から距離Ｂ１（Ｂ１≧Ｂｂ）の位置を軸に同一回転方向に同一角度折り曲げられて形成されたことを特徴とする。
【００１３】
また、本発明に係る第２の特徴の日除け装置において、前記構造部材は、前記平面部材の一方の長辺側の複数の第１切欠部または複数の第２切欠部により形成される凸部の幅が、それぞれ他方の長辺側の複数の第２切欠部または複数の第１切欠部の幅（ＤｂまたはＤａ）よりも長いことを特徴とする。
【００１４】
また、本発明に係る第２の特徴の日除け装置において、前記平面部材が折り曲げられる角度は、９０度以下であることを特徴とする。
【００１５】
また、本発明に係る第１または第２の日除け装置において、前記構造部材は、長辺方向の両端に取付部材を備えたことを特徴とする。
【発明の効果】
【００１６】
本発明に係る日除け装置によれば、より簡単な構造で、しかも設置方向を考慮することなく、日除けと、放熱のための通気性とを確保し得る日除け装置を実現することができる。
【図面の簡単な説明】
【００１７】
【図１】本発明の第１実施形態に係る日除け装置に用いる構造部材の斜視図である。
【図２】第１実施形態の日除け装置における日除け用板状部材の構成図である。
【図３】本発明の第２実施形態に係る日除け装置に用いる構造部材の斜視図である。
【図４】第２実施形態の日除け装置を無線基地局装置に適用した場合の日除け装置および無線基地局装置の斜視図である。
【図５】第２実施形態の日除け装置および無線基地局装置の側面図である。
【発明を実施するための形態】
【００１８】
以下、本発明の日除け装置の実施形態について、第１実施形態、第２実施形態の順に図面を参照して詳細に説明する。
〔第１実施形態〕
図１は本発明の第１実施形態に係る日除け装置に用いる構造部材の斜視図である。すなわち、図１に示す構造部材１１を長辺方向に並行配置して固定することにより日除け用板状部材を形成し、この日除け用板状部材を対象となる装置の外面に対向して設置することにより日除け装置を構成する。
【００１９】
図１において、本実施形態の日除け装置に用いる構造部材１１は、平面部材１３の一方の面（図中、左側の面）の短辺方向の上端に、該平面部材１３と当該第１方形状平面部材１２−１〜１２−４の面が一定角度（本実施形態では９０度）を持つよう接合され、該平面部材１３の長辺方向に等間隔に配置された複数の第１方形状平面部材１２−１〜１２−４を備える。また、平面部材１３の他面（図中、右側の面）の短辺方向の第１方形状平面部材１２−１〜１２−４の接合高さより低い高さで、且つ複数の第１方形状平面部材１２−１〜１２−４により形成される凹部底辺に対向する位置に、当該第２方形状平面部材１４−１〜１４−４の面が第１方形状平面部材１２−１〜１２−４の面と略並行となるよう該平面部材１３と接合され、該平面部材１３の長辺方向に等間隔に配置された複数の第２方形状平面部材１４−１〜１４−４を備えて形成されている。
【００２０】
ここで、第１方形状平面部材１２−１〜１２−４の幅はＷａ１であり、該第１方形状平面部材１２−１〜１２−４により形成される凹部の幅はＤａ１であり、また、第２方形状平面部材１４−１〜１４−４の幅はＷｂ１であり、該第２方形状平面部材１４−１〜１４−４により形成される凹部の幅はＤｂ１である。構造部材１１は、第２方形状平面部材１４−１〜１４−４の（接合辺）幅Ｗｂ１が第１方形状平面部材１２−１〜１２−４により形成される凹部（底辺）の幅Ｄａ１よりも長い（Ｗｂ１＞Ｄａ１）ことが必要である。
【００２１】
なお、図１では、第１方形状平面部材および第２方形状平面部材をそれぞれ４個ずつ図示しているが、第１方形状平面部材の個数は任意の数Ｎ（Ｎ：２以上の整数）で良く、そのとき第２方形状平面部材の個数はＮ−１個となる。
【００２２】
また、構造部材１１の形状を規定するために、平面部材１３に第１方形状平面部材１２−１〜１２−４および第２方形状平面部材１４−１〜１４−４を接合して形成する表現を用いているが、構造部材１１の製造法は接合に限らず、平面部材１３の短辺方向の左側に等間隔に深さＡ１の切欠部を形成し、また右側に深さＢ１の切り込みを入れて、折り曲げ加工によって第１方形状平面部材１２−１〜１２−４および第２方形状平面部材１４−１〜１４−４を形成することも可能である。
【００２３】
次に、図２は本実施形態の日除け装置における日除け用板状部材の構成図であり、図２（ａ）は平面図、図２（ｂ）は図２（ａ）の線Ｇ−Ｇ’における断面図、図２（ｃ）は図２（ａ）の線Ｈ−Ｈ’における断面図である。図１に示した構造部材１１と同一形状の構造部材１１−１〜１１−４を、長辺方向に並行配置して固定することによって日除け用板状部材１０が形成される。
【００２４】
この日除け用板状部材１０では、互いに隣接する２つの構造部材間で、一方の構造部材において第１方形状平面部材１２−１〜１２−４により形成される凹部（切欠部）と、他方の構造部材が持つ第２方形状平面部材１４−１〜１４−４の面とが重なり合い、また、一方の構造部材が持つ第１方形状平面部材１２−１〜１２−４の面と、他方の構造部材において第２方形状平面部材１４−１〜１４−４により形成される凹部（切欠部）とが重なり合う構造となる。これにより、第１方形状平面部材及び第２方形状平面部材によって日除け用板状部材１０の上方から下方に向かう光を遮ることができ、日除けの機能を備えた構造となる。
【００２５】
また、図２（ｂ）の断面図に示すように、一方の構造部材１１−２の第１方形状平面部材１２−１〜１２−３と、他方の構造部材１１−１の第２方形状平面部材１４−１〜１４−４とが二重で且つ互い違いに配置された構造を持ち、日除け用板状部材１０の下方から上方に向かって、第１方形状平面部材及び第２方形状平面部材それぞれにより形成される凹部（切欠部）を経由した空気の通り道を形成できる構造であるので、日除け用板状部材１０の下方に位置する装置（電子機器等）から発せられる熱を外部に放出可能で、放熱のための通気性を備えた構造となっている。
【００２６】
また、図２（ｃ）の断面図に示すように、各構造部材の平面部材１３に、第２方形状平面部材の下方側に凹部（切欠部）を備えた構造となっているため、該凹部（切欠部）を経由した空気の通り道を形成でき、日除け装置内部においてより優れた通気性を実現できる。
【００２７】
以上説明したように、本実施形態の日除け装置によれば、従来のように別途、機構や手段（部品）等を必要とせず、より簡単な構造で、日除けと放熱のための通気性とを確保し得る日除け装置を実現することができる。
【００２８】
なお、本実施形態では、平面部材１３と第１方形状平面部材１２−１〜１２−４または第２方形状平面部材１４−１〜１４−４の面がなす角度を９０度としたが、これに限定されることなく、９０度以上であっても良い。
〔第２実施形態〕
次に、図３は本発明の第２実施形態に係る日除け装置に用いる構造部材の斜視図である。すなわち、図３に示す構造部材２１を長辺方向に並行配置して固定することにより日除け用板状部材を形成し、この日除け用板状部材を対象となる装置の外面に対向して設置することにより日除け装置を構成する。
【００２９】
図３において、本実施形態の日除け装置に用いる構造部材２１は、平面部材２３の一方（図中、左）の長辺側に、幅Ｄａ２×深さＡａ２の第１切欠部を等間隔に複数持ち（２６−１〜２６−３）、該平面部材２３の他方（図中、右）の長辺側で、一方の長辺側の複数の切欠部２６−１〜２６−３により形成される凸部２２−２〜２２−４に対向する位置に、幅Ｄｂ２×深さＢｂ２の第２切欠部を等間隔に複数持ち（２７−１〜２７−３）、平面部材２３を、該平面部材２３の一方（左）の長辺から距離Ａ１（Ａ１≧Ａａ２）の位置を軸にして任意の回転方向に９０度折り曲げられ、該平面部材２３の他方（右）の長辺から距離Ｂ１（Ｂ１≧Ｂｂ２）の位置を軸にして同一回転方向に同一角度折り曲げられて形成されている。また、構造部材２１は、長辺方向の両側端部にそれぞれ取付部材２５を備えている（図３では手前側端部のみを図示する）。
【００３０】
ここで、第１切欠部２６−１〜２６−３により形成される凸部２２−２〜２２−３の幅はＷａ２であり、また、第２切欠部２７−１〜２７−３により形成される凸部２４−２〜２４−３の幅はＷｂ２である。構造部材２１は、平面部材２３の一方の長辺側の複数の第１切欠部２６−１〜２６−３により形成される凸部２２−２〜２２−３の幅Ｗａ２が、他方の長辺側の複数の第２切欠部の幅Ｄｂ２よりも長い（Ｗａ２＞Ｄｂ２）か、或いは、平面部材２３の他方の長辺側の複数の第２切欠部２７−１〜２７−３により形成される凸部２４−２〜２４−３の幅Ｗｂ２が、一方の長辺側の複数の第１切欠部２６−１〜２６−３の幅Ｄａ２よりも長い（Ｗｂ２＞Ｄａ２）ことが必要である。
【００３１】
なお、図３では、第１切欠部により形成される凸部および第２切欠部により形成される凸部を、それぞれ限定して図示しているが、第１切欠部により形成される凸部の個数は任意の数Ｎ（Ｎ：２以上の整数）で良く、そのとき第２切欠部により形成される凸部の個数はＮ−１個となる。
【００３２】
次に、具体的な適用として、無線基地局装置に本実施形態の日除け装置を適用したケースについて、図４及び図５を参照して説明する。ここで、図４は、本実施形態の日除け装置を無線基地局装置に適用した場合の日除け装置および無線基地局装置の斜視図であり、図５は、本実施形態の日除け装置および無線基地局装置の側面図である。なお、無線基地局装置は、内部にパワーアンプ等の発熱源を持ち、図５に示すように、放熱用のフィン５１，５２を筐体５０に備えるなど、放熱性を考慮した外部構造を備えている。
【００３３】
本実施形態の日除け装置は、日除け用板状部材２０を備えたものであり、日除け用板状部材２０は、図３に示した構造部材２１と同一形状の構造部材２１−１〜２１−１２を、長辺方向に並行配置して固定することによって形成されている。
【００３４】
構造部材２１−１〜２１−１２の固定は、構造部材２１−１について代表的に説明すると、構造部材２１−１が両端部に持つ取付部材２５を、無線基地局装置の筐体５０に一体形成されている取付台座３１−１ａ及び３１−１ｂにネジ止めすることによって行われている。
【００３５】
このように構造部材２１を用いた日除け用板状部材２０でも、第１実施形態と同様に、互いに隣接する２つの構造部材間で、一方の構造部材における第１切欠部と、他方の構造部材が持つ第２切欠部により形成される凸部の面とが重なり合い、また、一方の構造部材が持つ第１切欠部により形成される凸部の面と、他方の構造部材における第２切欠部とが重なり合う構造となるので、第１切欠部及び第２切欠部によりそれぞれ形成される凸部によって日除け用板状部材の上方から下方に向かう光を遮ることができ、日除けの機能を備えた構造となっている。
【００３６】
また、日除け用板状部材２０は、第１切欠部及び第２切欠部によりそれぞれ形成される凸部が、二重で且つ互い違いに配置された構造を持ち、日除け用板状部材の下方から上方に向かって、第１切欠部及び第２切欠部を経由した空気の通り道を形成できる構造であるので、日除け用板状部材２０の下方に位置する無線基地局装置から発せられる熱を外部に放出可能で、放熱のための通気性を備えた構造となっている。
【００３７】
なお、構造部材２１−１〜２１−１２の固定方法、または日除け用板状部材２０の形成方法は、本実施形態の態様に限定されることなく、種々の態様が考えられる。また、本実施形態では、日除け用板状部材２０を無線基地局装置の筐体５０の上面にのみ対向して設置する構成としたが、四方の側面も同様の日除け用板状部材で囲うようにして、箱形状の日除け装置を形成しても良い。つまり、本実施形態の日除け装置は、屋外装置の設置方向が（上下方向または縦横方向に）限定されることはない。
【００３８】
以上説明したように、本実施形態の日除け装置によれば、より簡単な構造で、しかも設置方向を考慮することなく、日除けと、放熱のための通気性とを確保し得る日除け装置を実現することができる。
【００３９】
なお、本実施形態では、平面部材２３を折り曲げる角度を９０度としたが、これに限定されることなく、９０度以下であっても良い。また、第１切欠部及び第２切欠部の形状を方形状としたが、一方の構造部材における第１切欠部が、他方の構造部材が持つ第２切欠部により形成される凸部の面に重畳し、また、他方の構造部材における第２切欠部が、一方の構造部材が持つ第１切欠部により形成される凸部の面に重畳する構造であれば、どのような形状であっても良い。
【符号の説明】
【００４０】
１０，２０…日除け用板状部材、１１，１１−１〜１１−４，２１，２１−１〜２１−１２…構造部材、１２−１〜１２−４…第１方形状平面部材、１３…平面部材、１４−１〜１４−４…第２方形状平面部材、２２−１〜２２−４，２４−１〜２４−４…凸部、２５…取付部材、２６−１〜２６−３…第１切欠部、２７−１〜２７−３…第２切欠部、３１−１ａ，３１−１ｂ，３１−１２ａ…取付台座、５０…筐体、５１，５２…フィン
【図１】
2012156387.tif 000003
【図２】
2012156387.tif 000004
【図３】
2012156387.tif 000005
【図４】
2012156387.tif 000006
【図５】
2012156387.tif 000007